(57)【要約】【課題】複数の溝部を備えた被組付け物に複数のＯリングを迅速に組み付けることができるＯリング組み付け装置を提供する。【解決手段】本体と、円筒状案内部であって、その外面においてＯリングを保持しかつその中空部分内に被組付け物を保持することができ、かつ本体に関して伸長した伸長位置と本体に関して後退した後退位置との間で移動可能に本体に取り付けられている円筒状案内部と、円筒状案内部を伸長位置と後退位置との間で駆動させることができるように円筒案内部に接続された駆動部と、円筒状案内部上のＯリングと当接する当接位置と円筒状案内部上のＯリングから離間した離間位置との間で移動可能なストッパとを備えている。【選択図】　　　図１
2004138226.tif 000002
【特許請求の範囲】
【請求項１】
本体と、
円筒状案内部であって、その外面においてＯリングを保持しかつその中空部分内に被組付け物を保持することができ、かつ前記本体に関して伸長した伸長位置と前記本体に関して後退した後退位置との間で移動可能に前記本体に取り付けられている円筒状案内部と、
前記円筒状案内部を前記伸長位置と前記後退位置との間で駆動させることができるように前記円筒案内部に接続された駆動部と、
前記円筒状案内部上のＯリングと当接する当接位置と前記円筒状案内部上のＯリングから離間した離間位置との間で移動可能なストッパとを備えたことを特徴とするＯリング組み付け装置。
【請求項２】
前記ストッパは、前記被組み付け物の複数の溝部の間隔と同じ間隔に位置する複数の溝部を有することを特徴とする請求項１に記載のＯリング組み付け装置。
【発明の詳細な説明】
【０００１】
【発明の属する技術分野】
本発明はＯリング組み付け装置に関する。
【０００２】
【従来の技術】
従来、外面に溝部が設けられた円筒状の被組付け物にＯリングを組み付けるための装置として、図５に示すように、装置本体１１から延びている複数の爪１２の先端でＯリング１３を保持する構成が公知である。この装置を用いた場合、爪１２でＯリング１３を最初に保持し、爪１２を広げ、被組付け物の溝部の外側にＯリング１３を位置決めし、爪１２からＯリング１３を外して被組付け物の溝部に組み付ける。
【０００３】
このような方法では、一度の作業で組付けることのできるＯリングの数は一つだけであり、被組付け物に複数のＯリングを組み付ける場合には、溝部の数だけ上記作業を繰り返さなければならず、時間がかかってしまうという問題があった。
【０００４】
【発明が解決しようとする課題】
上記問題点を鑑み、本発明の目的は、複数の溝部を備えた被組付け物に複数のＯリングを迅速に組み付けることができるＯリング組み付け装置を提供することである。
【０００５】
【課題を解決するための手段】
本発明の請求項１に係るＯリング組み付け装置によれば、本体と、円筒状案内部であって、その外面においてＯリングを保持しかつその中空部分内に被組付け物を保持することができ、かつ本体に関して伸長した伸長位置と本体に関して後退した後退位置との間で移動可能に本体に取り付けられている円筒状案内部と、円筒状案内部を伸長位置と後退位置との間で駆動させることができるように円筒案内部に接続された駆動部と、円筒状案内部上のＯリングと当接する当接位置と円筒状案内部上のＯリングから離間した離間位置との間で移動可能なストッパとを備えている。これにより、最初に、複数のＯリングを膨張させた状態で円筒状案内部の外面に配置し、かつ被組み付け物を円筒状案内部の中空部分に配置し、かつストッパを複数のＯリングの各々と係合する当接位置に配置し、次に、駆動部により円筒状案内部を後退位置に移動させると、円筒状案内部で保持されなくなったＯリングは収縮して被組み付け物の各溝部に組み付けられる。このように、円筒状案内部を後退させるだけで、複数のＯリングの各々を被組み付け物の各溝部に迅速に組み付けることができる。
【０００６】
請求項２に係るＯリング組み付け装置によれば、ストッパは、被組み付け物の複数の溝部の間隔と同じ間隔に位置する複数の溝部を有している。これにより、円筒状案内部上のＯリングの各々の位置を被組み付け物の各溝部に対応した位置に位置決めすることができ、より正確にＯリングを溝部に組み付けることができる。
【０００７】
【発明の実施の形態】
以下、本発明の実施例について添付図面を参照しつつ詳細に説明する。最初に本発明のＯリング組み付け装置の構成について説明する。図１は本発明のＯリング組み付け装置の断面図である。本発明のＯリング組み付け装置１は、本体２と、その外周面でＯリング８を保持しかつその中空部分内で被組付け物７を保持する円筒状案内部３と、案内部３を本体に関して伸長又は後退させるように駆動する駆動部４と、案内部３の外周面上のＯリング８を保持して案内部３の中空部分内にある被組付け物７に組み付けるためのストッパ５とを概ね備えている。
【０００８】
案内部３は、図１に示すように、外周面３ａと中空部分３ｂとを備えた円筒形状であり、外周面３ａにおいてＯリング８を保持し、その一方で、中空部分３ｂ内において被組付け物７を保持することができる。さらに、案内部３は、以下において説明する駆動方法により、本体２に関して伸長した伸長位置と本体２に関して後退した後退位置との間で移動可能に本体２に取り付けられている。
【０００９】
駆動部４は、本実施例では電動モータである。電動モータ４の軸は、例えばボールねじ（図示せず）を介して案内部３に接続されており、この電動モータ４の軸の回転により、案内部３を本体２に関して伸長及び後退させるように駆動することができる。
【００１０】
ストッパ５については、本実施例では二つのストッパが対向して設けられている。ストッパ５は、ストッパ５が円筒状案内部３上のＯリング８と当接する当接位置と、ストッパ５が円筒状案内部３上のＯリング８から離間した離間位置との間で移動できるように駆動部（図示しない）に接続されている。ストッパ５が当接位置にある時にストッパ５と円筒状案内部３との間でＯリング８を確実に保持することができるように、ストッパ５の外面には、Ｏリング８とほぼ同じ寸法の例えば矩形断面の溝部が形成されていることが好ましい。このような構成により、案内部３上のＯリング８を案内部３内の被組付け物に組み付けるために案内部３を後退位置に移動させる時、ストッパ５の溝部内でＯリング８を不動に保持することにより、案内部３側で保持されなくなって収縮するＯリング８を被組付け物の溝部に誘導して組み付けることができる。なお、正確にＯリング８を被組付け物７の溝部に組み付けるために、ストッパに形成する複数の溝部の間隔と被組付け物の複数の溝部の間隔を同じとすることが好ましい。
【００１１】
図２は本発明のＯリング組み付け装置及びＯリング保持具の断面図である。Ｏリング保持具９は、Ｏリング８を案内部３に装着するためにＯリング８を保持する機能を有する。Ｏリング保持具９は、Ｏリング８を収容する穴を有する上板９ａと、Ｏリング８よりも小さな穴を有しかつＯリング８を担持する下板９ｂとで構成されている。なお、Ｏリング８を下板９ｂで保持すると共にＯリング８を案内部３に装着する時に案内部３が容易に下板９ｂの穴を貫通するように、好ましくは、案内部３の先端に突起状の治具１０が装着されており、その一方で、下板９ｂの穴は、治具１０が穴を半径方向外側に押しながら通過する時に拡開するように構成されている。そのため、例えば、下板９ｂは、穴の周縁の３分の１をそれぞれが構成する三つの部材を有し、これら部材は、ばねで半径内方向に付勢されており、半径方向外側の力を受けた時、半径方向外側に移動して穴が拡開する。
【００１２】
次に本発明のＯリング組み付け装置を用いたＯリングの組み付け手順について説明する。Ｏリングの組み付け手順は、Ｏリングを案内部に装着する工程と、案内部で保持するＯリングを被組付け物に組み付ける工程とで構成されている。まず、Ｏリングを案内部に装着する工程について図２〜４を参照して説明する。最初に、図２に示すように、Ｏリング組み付け装置１の案内部３をＯリング保持具９の上方に配置すると共に、案内部３に装着させるべきＯリング８をＯリング保持具９に担持させる。次に、図３に示すように、案内部３をＯリング８及びＯリング保持具９の下穴９ｂの穴を通過させ、Ｏリング８を保持すべき位置まで案内部３を下降させる。次に、図４に示すように、案内部３を上昇させてＯリング保持具９から離し、装着させるべきＯリング８をＯリング保持具９に装着する。Ｏリング８を案内部３上で保持する間隔が被組付け物７の溝部の間隔と同じとなるように、以上の手順を繰り返してＯリング８を案内部３に装着する工程を完了する。
【００１３】
次に案内部３で保持するＯリング８を被組付け物７に組み付ける工程について図１を参照して説明する。最初に、ストッパ５を離間位置に配置し、案内部３を伸長位置に配置し、案内部３上のＯリング８が被組付け物７の溝部に対応するように案内部３の内部に被組付け物７を配置する。次に、図１に示すように、ストッパ５を当接位置に配置し、ストッパ５と案内部３の間でＯリング８を保持する。最後に、案内部３を後退位置に後退させると、円筒状案内部３側で保持されなくなって収縮するＯリング８をストッパ５により被組付け物７の溝部に誘導して組み付ける。
【００１４】
以上のように、本発明のＯリング組み付け装置により、複数の溝部を備えた被組付け物に複数のＯリングを迅速に組み付けることができる。
【図面の簡単な説明】
【図１】本発明のＯリング組み付け装置の断面図である。
【図２】案内部で保持するＯリングを被組付け物に組み付ける工程における第一の段階の本発明のＯリング組み付け装置及びＯリング保持具の断面図である。
【図３】案内部で保持するＯリングを被組付け物に組み付ける工程における第二の段階の本発明のＯリング組み付け装置及びＯリング保持具の断面図である。
【図４】案内部で保持するＯリングを被組付け物に組み付ける工程における第三の段階の本発明のＯリング組み付け装置及びＯリング保持具の断面図である。
【図５】従来のＯリング組み付け装置の断面図である。
【符号の説明】
１…Ｏリング組み付け装置
２…本体
３…円筒状案内部
４…駆動部
５…ストッパ
７…被組付け物
８…Ｏリング
【図１】
2004138226.tif 000003
【図２】
2004138226.tif 000004
【図３】
2004138226.tif 000005
【図４】
2004138226.tif 000006
【図５】
2004138226.tif 000007